(57)【特許請求の範囲】
【請求項１】
造営材に取り付けられる背板と、背板に組み付けられる前枠とを備え、前記前枠に扉を支持し、前記背板に電気機器が装着される基板と、取付ネジが締め付けられる取付穴とを設け、該取付穴の周辺にスリットを形成し、スリットと取付穴の間に造営材の凹凸に馴染んで変形する軟弱部を設け、前記基板の四隅を別々に保持する４つのホルダが背板に取り付けられ、前記軟弱部が各ホルダの隣に位置するように背板に設けられていることを特徴とする電気機器収納用キャビネット。
【請求項２】
前記ホルダに基板を背板から浮かせて支持する支持片が設けられている請求項１記載の電気機器収納用キャビネット。
【発明の詳細な説明】
【技術分野】
【０００１】
本発明は、各種電気機器を収納するためのキャビネットに関する。
【背景技術】
【０００２】
従来、配電用機器、制御用機器、通信用機器等を収納するためのキャビネットは、一般に、背板、天板、底板、左右の側板を一体に形成し、前面開口部に扉が開閉自在に設けられている（例えば、特許文献１参照）。また、保管時、運搬時の省スペース化を図り、１人でも設置作業ができるように、全体を背板、天板、底板、左右の側板に分割し、造営場所に順番に組み立てるキャビネットも知られている（例えば、特許文献２参照）。
【先行技術文献】
【特許文献】
【０００３】
【特許文献１】特開平９−３２１４５０号公報
【特許文献２】特開２００８−１７２８９９号公報
【発明の概要】
【発明が解決しようとする課題】
【０００４】
しかしながら、従来の組立式キャビネットは、造営材の凹凸によって歪みを生じ、組み立て、立て付けに支障を来たすという問題点があった。例えば、図１０に示すようなキャビネット１０１において、背板１０２をアンカーボルト１０５とナット１０６で壁面Ｗに取り付けた場合、壁面Ｗの凹凸によって背板１０２が変形すると、背板１０２に前枠１０３を組み付けることが困難になる。また、背板１０２の変形に伴って前枠１０３が歪んでいると、扉１０４に片下がりが発生し、立て付けが悪くなり、開閉に支障を来たすこともあった。
【０００５】
そこで、本発明の目的は、造営材の凹凸による背板の変形を防止し、組み立てを容易にし、扉の立て付けを改善できる電気機器収納用キャビネットを提供することにある。
【課題を解決するための手段】
【０００６】
上記課題を解決するために、本発明は、次のような電気機器収納用キャビネットを提供する。
（１）造営材に取り付けられる背板と、背板に組み付けられる前枠とを備え、前枠に扉を支持し、背板に電気機器が装着される基板と、取付ネジが締め付けられる取付穴とを設け、取付穴の周辺にスリットを形成し、スリットと取付穴の間に造営材の凹凸に馴染んで変形する軟弱部を設けたことを特徴とする電気機器収納用キャビネット。
【０００７】
（２）基板の四隅を別々に保持する４つのホルダが背板に取り付けられ、軟弱部が各ホルダの近傍において背板に設けられている（１）に記載の電気機器収納用キャビネット。
【０００８】
（３）ホルダに基板を背板から浮かせて支持する支持片が設けられている（２）に記載の電気機器収納用キャビネット。
【発明の効果】
【０００９】
上記（１）の電気機器収納用キャビネットによれば、背板の取付穴とスリットの間に軟弱部を設けたので、凹凸のある造営材に取り付ける場合に、背板は軟弱部で局部的に変形し、その他の部位では原形を維持する。このため、背板に前枠を容易に組み付けることができるとともに、前枠の歪みをなくして、扉の立て付けを改善できるという効果がある。
【００１０】
上記（２）の電気機器収納用キャビネットによれば、軟弱部が４分割したホルダの近傍に設けられているので、造営材の凹凸に合わせ、背板の四隅をそれぞれ独立して変形させることができるという効果がある。
【００１１】
上記（３）の電気機器収納用箱体によれば、ホルダの支持片が基板を背板から浮かせて支持するので、電気機器の装着にあたり、基板を貫通したネジが背板に当たらなくなるという効果がある。
【図面の簡単な説明】
【００１２】
【図１】本発明に係る電気機器収納用キャビネットを示し、（ａ）は正面図、（ｂ）は右側面図である。
【図２】背板と前枠が分離した状態のキャビネットを示す斜視図である。
【図３】背板と前枠が分離した状態のキャビネットを示す縦断面図である。
【図４】背板に前枠を組み付ける方法を示すキャビネットの縦断面図である。
【図５】背板の構成を示す正面図である。
【図６】背板に設けたホルダと取付穴を拡大して示す斜視図である。
【図７】基板を背板に保持し、背板を壁面に取り付けた状態を示す正面図である。
【図８】凹凸のある壁面にキャビネットを設置した状態を示す横断面図である。
【図９】水平な造営面にキャビネットを設置した状態を示す正面図である。
【図１０】従来のキャビネットを壁面に設置した状態を示す横断面図である。
【発明を実施するための形態】
【００１３】
図２に示すように、この実施形態の電気機器収納用キャビネット１は、造営材に取り付けられる背板３と、背板３に前方から組み付けられる前枠７とを備えている。前枠７には扉８が支持され、背板３に電気機器４０が装着される基板１１と、取付ネジが締め付けられる取付穴２３とが設けられている。取付穴２３の周辺にはスリット２７が形成され、スリット２７と取付穴２３の間に壁面の凹凸に馴染んで変形する軟弱部２８が設けられている。
【実施例１】
【００１４】
以下、本発明の実施例を図１〜図９の添付図面に基づいて説明する。図１、図２に示すように、この電気機器収納用キャビネット１は、造営場所である建築物の壁面Ｗに取り付けられる背板３と、背板３に前方から組み付けられる前枠７とに分割されている。前枠７には、その前面開口部７ｆを覆う扉８が開閉自在に支持されている。
【００１５】
背板３の内側には、電気機器４０が装着される目盛付きの基板１１が取り付けられている。背板３の上下両端面には配線口１２が形成され、電気機器４０の電線２１を通す方の配線口１２に入出線ユニット１３が取り付けられ、電線２１を通さない方の配線口１２にカバー１４が取り付けられている。
【００１６】
背板３及び前枠７は、共に厚さが０．５ｍｍ程度のごく薄い鋼板で板金成形されている。背板３は前面のみが開いた薄箱型に形成されている。前枠７は天板４、底板５、左右の側板６，６で一体に形成されている。前枠７の前面には開口部７ｆが形成され、前枠７の背面に開口部７ｒが形成されている。
【００１７】
図３、図４に示すように、背板３の前面には、下部折曲片３ａと上部折曲片３ｂとが形成されている。前枠７の背面には、下端に引掛片７ａが形成され、上端にラッチ９が設けられている。前枠７の組み付けにあたっては、前枠７を上部が手前側に軽く傾くようにして持ち、前枠７の引掛片７ａを背板３の下部折曲片３ａに差し込み、前枠７の上部を背板３側へ押し付け、ラッチ９の爪９ａを背板３の上部折曲片３ｂに係止する。
【００１８】
前枠７の前面周縁には、扉８を取り囲むように、枠部７ｂが四角環状に形成されている。扉８は、左右片側の上下両端部に設けられた蝶番１０（図１参照）によって前枠７の枠部７ｂに開閉自在に支持されている。蝶番１０と反対側には、閉鎖位置の扉８を枠部７ｂに錠止するためのハンドル１５が設けられている。
【００１９】
図５〜図７に示すように、背板３には、基板１１の四隅を別々に保持する４つのホルダ１６が固着されている。各ホルダ１６には、基板１１を背板３から浮かせて支持する支持片１７（図６参照）と、基板１１の左右位置を決める規制片１８とが折り曲げられている。また、下側のホルダ１６には基板１１の下端を受ける支承片１９が形成され、上側のホルダ１６に基板１１の上端を掛止するラッチ２０が設けられている。
【００２０】
４つのホルダ１６の近傍において、背板３の四隅には取付穴２３が形成され、取付穴２３を通るアンカーボルト２４（図５参照）にワッシャー２５を介してナット２６を締め付けることにより、背板３が４箇所にて壁面Ｗ（図７参照）に取り付けられる。取付穴２３の周辺には、２本のスリット（長角穴）２７がワッシャー２５の外周位置を平行に延びるように形成され、スリット２７と取付穴２３との間に軟弱部２８が設けられている。
【００２１】
図８に示すように、背板３を凹凸のある壁面Ｗに取り付ける場合は、取付ネジであるナット２６の締付力で軟弱部２８が壁面Ｗの凹凸に馴染むように変形する。軟弱部２８は取付穴２３とスリット２７の間に画定されているため、背板３はスリット２７の内側で局部的に変形し、スリット２７の外側では原形を維持する。したがって、壁面Ｗに凹凸がある造営場合であっても、背板３に対して前枠７を容易に組み付けることができる。
【００２２】
前枠７を組み付ける前に、図７に示すように、背板３上のホルダ１６に基板１１を取り付け、基板１１に電気機器４０をネジ２２で装着する。こうすれば、基板１１の周囲を開いた状態で、機器装着作業を容易に行うことができる。また、基板１１がホルダ１６の支持片１７により背板３から浮いた状態で支持されているため（図３参照）、基板１１を貫通したネジ２２の先端が背板３に当たるおそれもない。
【００２３】
その後、図２に示すように、背板３に入出線ユニット１３とカバー１４を取り付け、入出線ユニット１３に電線２１を通し、配線を済ませたのちに、前枠７を背板３に組み付ける。この組立状態では、軟弱部２８の作用で背板３が原形を維持し、前枠７に歪みが生じていないため、扉８を前枠７に立て付けよく支持できるとともに、造営後のキャビネット１の外観を見栄えよくすることができる。
【００２４】
特に、この実施例のキャビネット１では、厚さ０．５ｍｍの薄鋼板を使用しているので、背板３と前枠７を軽量化し、組立作業を一人で楽に行うことができるとともに、薄鋼板の可撓性を利用して、軟弱部２８を容易に変形させることもできる。また、軟弱部２８が４分割したホルダ１６の近傍に設けられているので、壁面Ｗの凹凸に合わせ、背板３の四隅をそれぞれ独立して変形させることもできる。
【００２５】
尚、上記実施例では、キャビネット１を垂直な壁面Ｗに設置しているが、図９に示すように、キャビネット１を水平な造営面Ｓに設置することもできる。この場合は、背板３の底板３３に図５と同じ形状の軟弱部２８を設け、ナット２６の締付力で軟弱部２８を造営面Ｓの凹凸に馴染ませて変形させる。その他、本発明の趣旨を逸脱しない範囲で、キャビネット各部の構成や形状を適宜変更して実施することも可能である。
【符号の説明】
【００２６】
１    電気機器収納用キャビネット
３    背板
７    前枠
８    扉
１１    基板
１６    ホルダ
１７    支持片
２３    取付穴
２４    アンカーボルト
２５    平ワッシャー
２６    ナット
２７    スリット
２８    軟弱部
４０    電気機器
Ｗ    壁面
Ｓ    造営面
【図１】
0005405268.tif 000002
【図２】
0005405268.tif 000003
【図３】
0005405268.tif 000004
【図４】
0005405268.tif 000005
【図５】
0005405268.tif 000006
【図６】
0005405268.tif 000007
【図７】
0005405268.tif 000008
【図８】
0005405268.tif 000009
【図９】
0005405268.tif 000010
【図１０】
0005405268.tif 000011